(57)【要約】【課題】地震時に、隣接する建造物の床相互が近接する方向に大きく相対変位して、カバー体の自由端が摺動受枠体の傾斜受縁に沿ってずれ上がった場合に、端部カバー板が中空に突出する状態となることによる通行障害を防止し得るようにした床用目地カバー装置を提供する。【解決手段】カバー体Ｃの自由端の端縁３上部にカバー体Ｃの上面と略面一となるようにして端部カバー板４を回動可能に枢結するとともに、該端部カバー板４を下方回動方向へ付勢する付勢手段を設けた。これにより、地震時に、カバー体Ｃの自由端が摺動受枠体１の傾斜受縁１ｂに沿ってずれ上がると、端部カバー板４が下方傾斜し、その外端が床面ｆ２　に常時密着して摺動するので中空に突出することがない。【選択図】　　図５
2004027638.tif 000002
【特許請求の範囲】
【請求項１】
隣接する建造物の床間の目地に差し渡されて該目地を覆うカバー体の一端を、一方の床の側縁に保持手段を介して少なくとも目地幅方向に移動不能に保持し、該カバー体の他端を自由端として、該自由端の端縁上部にカバー体の上面と略面一となるようにして端部カバー板を回動可能に枢結するとともに、該端部カバー板を下方回動方向へ付勢する付勢手段を設ける一方、
他方の床の側縁に、水平受縁と、該水平受縁の外端から上方傾斜する傾斜受縁とを備えた摺動受枠体を配設し、
前記摺動受枠体の水平受縁上に、前記カバー体の自由端を乗載するとともに、前記端部カバー板の外端を他方の床上に乗載し、該端部カバー板によって自由端の端縁と摺動受枠体の傾斜受縁間に生じる作動空隙の上方を遮蔽するようにしたことを特徴とする床用目地カバー装置。
【請求項２】
端部カバー板を下方回動方向へ付勢する付勢手段が、一端を端部カバー板の下面に連結し、他端を自由端の端縁下部に連結した引張ばねであることを特徴とする請求項１記載の床用目地カバー装置。
【請求項３】
カバー体の一端を保持する保持手段が、カバー体の一端に配設されたスライダーと、一方の床の側縁に配設されて前記スライダーを目地に沿う方向に摺動可能に支持するレール部材とによって構成されていることを特徴とする請求項１又は請求項２記載の床用目地カバー装置。
【発明の詳細な説明】
【０００１】
【発明の属する技術分野】
本発明は、隣接する建造物の床間の目地を覆う床用目地カバー装置に関する。
【０００２】
【従来の技術】
緩衝機能を備えた免震装置によって下部が支持された建物にあっては、地震時における水平方向の揺れが大きくなる傾向がある。このような免震構造の建物の周囲には、隣接する人工地盤との間に、前記揺れを吸収し得る比較的広幅の目地が形成されており、かかる免震構造の建物の目地に好適に使用し得る床用目地カバー装置が、本願出願人によって、例えば特開平１０−３１７５１６号公報等として既に提案されている。
【０００３】
かかる床用目地カバー装置は、図１３イに示すように、建物としての建造物Ａの床ｆと、該床ｆに目地ｓを介して隣接する人工地盤としての建造物Ｂとの間に差し渡されて前記目地ｓを覆うカバー体Ｃの一端を、前記床ｆの側縁に連結手段ａを介して揺動可能に連結し、該カバー体Ｃの他端を自由端として、該自由端にその下面から外端上面に向けて傾斜する傾斜端縁ｂを設けるとともに、該傾斜端縁ｂの上部からカバー体Ｃの上面ｄと略面一となるようにして端部カバー板ｃを建造物Ｂ側に向けて突設する一方、前記建造物Ｂの側縁に、水平受縁ｅと、該水平受縁ｅの外端に前記傾斜端縁ｂと同方向に傾斜する傾斜受縁ｇとを備えた摺動受枠体ｈを配設し、該摺動受枠体ｈの水平受縁ｅ上に、前記カバー体Ｃの自由端を乗載するとともに、前記端部カバー板ｃの外端を建造物Ｂの床面ｉ上に乗載し、該端部カバー板ｃによってカバー体Ｃの傾斜端縁ｂと摺動受枠体ｈの傾斜受縁ｇ間に生じる作動空隙ｊの上方を遮蔽するように構成されている。
【０００４】
そして、地震時において、建造物Ａと、隣接する建造物Ｂとが近接する方向に比較的小さく相対変位した場合には、カバー体Ｃの自由端が摺動受枠体ｈの水平受縁ｅ上を作動空隙ｊの範囲内で水平に摺動してその相対変位に追従し、さらに大きく相対変位すると、図１３ロに示すように、カバー体Ｃは、一端の連結手段ａを支点として、自由端に形成された傾斜端縁ｂが摺動受枠体ｈの傾斜受縁ｇに沿ってずれ上がることにより、その相対変位から逃げることができるようになっている。
【０００５】
【発明が解決しようとする課題】
ところで、かかる従来構成の床用目地カバー装置にあっては、地震により、建造物Ａと、隣接する建造物Ｂとが近接する方向に大きく相対変位して、カバー体Ｃの自由端が建造物Ｂ上に乗り上げた場合に、図１３ロに示すように、端部カバー板ｃが中空に突出する状態となるため、通行の障害となる虞があった。
【０００６】
尚、上記問題の解決を試みたものとして、特開２０００−３２８６７４号公報には、カバー体（目地プレート）の端縁下部に、三角柱状の保護体を回動可能に取り付けた構成が開示されているが、このものは、カバー体の端縁が床面上に乗り上げると、保護体が下端を支点として外側に開くように回動するため、カバー体の端縁と保護体との間に上方に開口する隙間が生じてしまう。このため、該隙間に歩行者が躓いたり、ハイヒールの踵が引っ掛かったりする等の虞があり、上記問題を完全に解消するには至っていない。
【０００７】
一方、従来構成の床用目地カバー装置にあっては、建造物Ａと建造物Ｂとが前後方向（目地ｓに沿う方向）に相対変位した場合に、カバー体Ｃの自由端の前後方向の移動幅に相当するスペースを自由端の前後両側に確保しておく必要があり、図１４に鎖線で示すように、カバー体Ｃの自由端の前後両側に壁等の立上がり部ｋ，ｋが形成されて前記スペースが確保できない場所には適用できないという問題点があった。
【０００８】
本発明は、かかる従来の問題点を解消し得る床用目地カバー装置を提供することを目的とするものである。
【０００９】
【課題を解決するための手段】
本発明は、隣接する建造物の床間の目地に差し渡されて該目地を覆うカバー体の一端を、一方の床の側縁に保持手段を介して少なくとも目地幅方向に移動不能に保持し、該カバー体の他端を自由端として、該自由端の端縁上部にカバー体の上面と略面一となるようにして端部カバー板を回動可能に枢結するとともに、該端部カバー板を下方回動方向へ付勢する付勢手段を設ける一方、他方の床の側縁に、水平受縁と、該水平受縁の外端から上方傾斜する傾斜受縁とを備えた摺動受枠体を配設し、前記摺動受枠体の水平受縁上に、前記カバー体の自由端を乗載するとともに、前記端部カバー板の外端を他方の床上に乗載し、該端部カバー板によって自由端の端縁と摺動受枠体の傾斜受縁間に生じる作動空隙の上方を遮蔽するようにしたことを特徴とする床用目地カバー装置である。
【００１０】
かかる構成にあって、地震時に、隣接する建造物の床相互が近接する方向に大きく相対変位すると、カバー体の自由端が摺動受枠体の傾斜受縁に沿ってずれ上がり、その相対変位から逃げる。この時、自由端の端縁上部に枢結されている端部カバー板が下方回動方向に付勢されていることにより、該端部カバー板の外端が床面に常時密着して摺動するため、従来のように端部カバー板が中空に突出する状態となることによる通行障害を防止することができる。また、端部カバー板が下方回動方向に付勢されているので地震の衝撃によってバタつくことがなく、さらに、端部カバー板は自由端の端縁上部から下方傾斜する状態となるため、自由端の端縁と端部カバー板との間に隙間が生じることもない。
【００１１】
また、端部カバー板を下方回動方向へ付勢する付勢手段を、一端を端部カバー板の下面に連結し、他端を自由端の端縁下部に連結した引張ばねとする構成が提案される。これにより、構造が簡単で製造が容易であり、比較的安価であるにも拘わらず、耐久性に優れ、所要の付勢作用を生ずる付勢手段を得ることができる。
【００１２】
さらに、カバー体の一端を保持する保持手段を、カバー体の一端に配設されたスライダーと、一方の床の側縁に配設されて前記スライダーを目地に沿う方向に摺動可能に支持するレール部材とによって構成するようにしてもよい。かかる構成にあっては、地震時に、隣接する建造物の床相互が前後方向（目地に沿う方向）に相対変位すると、レール部材に支持されたスライダーの摺動作用を介して、カバー体の一端が一方の床の側縁に沿って前後方向に摺動して、その相対変位に追従する。これにより、床用目地カバー装置を、カバー体の自由端の前後両側に壁等の立上がり部が形成されている場所に適用することが可能となる。
【００１３】
【発明の実施の形態】
以下に、本発明の第一実施例を、図１〜図７に基づいて説明する。
図面において、Ａは緩衝機能を備えた免震装置（図示省略）によって下部が支持された免震構造の建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１４】
前記建造物Ｂの床ｆ２　の側縁には、図面において左右方向（目地ｓの幅方向）に比較的長い水平受縁１ａと、該水平受縁１ａの外端から床ｆ２　の上面に向けて上方傾斜する傾斜受縁１ｂとを備えた摺動受枠体１が配設されている。該摺動受枠体１は、目地ｓに沿う方向に延在するように所定の長さで形成されており、図７に示すように、カバー体Ｃを配置した状態において、その前後両側に、該カバー体Ｃが前後方向（目地ｓに沿う方向）に摺動し得る作動空隙２ｂが夫々生じるようにしている。
【００１５】
建造物Ａの床ｆ１　と建造物Ｂの床ｆ２　の間には、カバー体Ｃが差し渡され、目地ｓを覆っている。該カバー体Ｃは、目地ｓに沿う方向に複数個が連続状に配設されるものであって、各カバー体Ｃは、図１に示すように、その一端の下部が建造物Ａの床ｆ１　の側縁に、後述する連結手段５を介して揺動可能に連結され、他端を自由端としており、該自由端が前記摺動受枠体１の水平受縁１ａ上に摺動可能に乗載されている。ここで、カバー体Ｃの自由端は、その端縁３と前記摺動受枠体１の傾斜受縁１ｂとの間に適宜幅の空隙が生じるようにして水平受縁１ａ上に乗載されており、この空隙を作動空隙２ａとしている。
【００１６】
また、カバー体Ｃの自由端が乗載される摺動受枠体１の水平受縁１ａ上には、上面にテフロンコーティング等の滑性面を形成した薄板状のパッキン１５が被着されており、該パッキン１５の滑性面によって、カバー体Ｃの自由端の摺動が容易となるようにしている。
【００１７】
カバー体Ｃの自由端には、図２に示すように、端縁３の上部に端部カバー板４がヒンジ６で上下方向に回動可能に枢結されており、該端部カバー板４の外端が、カバー体Ｃの上面８と略面一となるようにして建造物Ｂの床ｆ２　の上面に摺動可能に乗載されている。そして、該端部カバー板４によって、前記作動空隙２ａの上方を遮蔽するようにしている。また、端部カバー板４の下面には引張バネ７の一端が連結され、該引張バネ７の他端が自由端の端縁３の下部に連結されており、該引張バネ７を、端部カバー板４を下方回動方向に付勢する付勢手段としている。
【００１８】
前記カバー体Ｃは、矩形状の周枠と底板とによって浅底容器状に形成されており、その内底部に複数のメインバー１２ａとクロスバー１２ｂとを格子状に組み付けてなる剛性基枠部１３が配設されている。該剛性基枠部１３はグレーチングとして一般に用いられるものと同一構造であり、この剛性基枠部１３によって、カバー体Ｃ上にかかる荷重に耐え得る所定の強度を得るようにしている。また、該剛性基枠部１３の上部には、モルタルｍ及びタイルｔ等からなる床仕上材１０が充填されている。
【００１９】
前記連結手段５を図３，図４に基づいて説明する。
建造物Ａの床ｆ１　の側縁上には、目地ｓに沿う方向に延在するように保持受枠体１４が配設されている。該保持受枠体１４は、水平受縁１４ａと垂直縁１４ｂとを備えた断面Ｌ形に形成されている。水平受縁１４ａの上面には、図４に示すように、狭幅の平板状に形成された支持体１７が固着されており、その上面を、カバー体Ｃの下面に接触して該カバー体Ｃを揺動可能に支持する支持縁１８としている。尚、該支持体１７は、断面半円形状や断面三角形状等に形成して、その周面や上部稜線を支持縁１８とすることもできる。このように形成すると支持縁１８がカバー体Ｃの下面に線接触して、該カバー体Ｃの揺動時の支持をより安定させることができる。
【００２０】
さらに、前記保持受枠体１４の水平受縁１４ａには、その下面側から挿通して該水平受縁１４ａに固着したボルトからなる複数の連結杆１９が所定間隔で立設されている。各連結杆１９は、図３に示すように、前記支持縁１８でカバー体Ｃの下面を支持した状態において、カバー体Ｃの補強底板２０に形成された挿通孔２１に遊嵌され、その上端にはナットからなるばね受部材２２が螺着されている。また、各連結杆１９には、前記ばね受部材２２とカバー体Ｃの補強底板２０との間に介装するようにしてコイルばね２３が圧縮状態で外嵌されており、該コイルばね２３によってカバー体Ｃを常時下方に付勢するようにしている。これによりカバー体Ｃの一端が保持受枠体１４に対して揺動可能となっている。
【００２１】
そして、この連結手段５により、建造物Ａの床ｆ１　の側縁に、カバー体Ｃの一端を、少なくとも目地ｓの幅方向に移動不能に保持する保持手段が構成されている。また、この保持状態において、カバー体Ｃの上面８が建造物Ａの床ｆ１　の上面と略同一高さとなるようにしている。
【００２２】
尚、カバー体Ｃには、前記連結杆１９の上方に対応する位置に、コイルばね２３やばね受部材２２の取付け用操作口１６が開口され、該操作口１６を不使用時に遮蔽するキャップ２４が着脱自在に嵌着される。
【００２３】
かかる構成にあって、カバー体Ｃは、常時は図１に示す定常位置で目地ｓを覆っている。そして、地震時において、建造物Ａと、隣接する建造物Ｂとが近接する方向に比較的小さく相対変位すると、カバー体Ｃの自由端が摺動受枠体１の水平受縁１ａ上を作動空隙２ａの範囲内で水平に摺動してその相対変位に追従し、さらに大きく相対変位すると、カバー体Ｃは、図５に示すように、保持手段（連結手段５）により位置保持された一端を支点として、自由端の端縁３が、摺動受枠体１の傾斜受縁１ｂに沿ってずれ上がることにより、その相対変位から逃げる。この時、自由端の端縁３に枢結されている端部カバー板４が引張バネ７で下方回動方向に付勢されていることにより、該端部カバー板４の外端が、自由端の端縁３の上部から下方傾斜する状態となって建造物Ｂの床ｆ２　の上面に常時密着して摺動するため、該端部カバー板４が中空に突出することがなく、従来のように端部カバー板ｃ（図１３ロ参照）が中空に突出する状態となることによる通行障害を防止することができる。また、端部カバー板４が下方回動方向に付勢されているので地震の衝撃によってバタつくことがない。
【００２４】
また、建造物Ａと、隣接する建造物Ｂとが離れる方向に相対変位すると、図６に示すように、カバー体Ｃは、その自由端が摺動受枠体１の水平受縁１ａ上を、傾斜受縁１ｂと逆方向に向けて水平に摺動してその相対変位に追従する。
【００２５】
そして、地震が終って建造物Ａと建造物Ｂとが定常位置に戻ると、これに伴なってカバー体Ｃの自由端も図１に示した水平受縁１ａ上の定常位置に戻り、カバー体Ｃが定常状態に復帰する。
【００２６】
また、建造物Ａと、隣接する建造物Ｂとが前後方向（目地ｓに沿う方向）に相対変位すると、カバー体Ｃの自由端は、摺動受枠体１の水平受縁１ａ上を前後方向に摺動してその相対変位に追従する。ここで、図７に示すように、カバー体Ｃの前後両側に位置させて、摺動受枠体１の側端部に作動空隙２ｂが設けられていることにより、該作動空隙２ｂによってカバー体Ｃの自由端を前後方向に摺動させることができる。
【００２７】
さらに、建造物Ａと、隣接する建造物Ｂとが上下方向に相対変位すると、カバー体Ｃは、連結手段５により建造物Ａの床ｆ１　の側縁に連結された一端を支点として、建造物Ａもしくは隣接する建造物Ｂの上下動に伴なって傾動して、その相対変位に追従する。
【００２８】
図８〜図１２は、本発明の第二実施例を示し、この実施例は、図１２に示すように、カバー体Ｃの自由端の側傍に壁等の立上がり部２５がある場所に適用し得るようにしたものであって、カバー体Ｃの一端を建造物Ａの床ｆ１　の側縁に保持する保持手段の構成が変更されている。その他の構成は上記第一実施例と同じであり、同一部分に同一符号を付して重複する説明を省略する。
【００２９】
この実施例における保持手段は、カバー体Ｃの一端の下部に配設されたスライダー２６と、建造物Ａの床ｆ１　の側縁に配設されて前記スライダー２６を目地ｓに沿う方向に摺動可能に支持するレール部材２７とによって構成されている。
【００３０】
前記スライダー２６は、図９に示すように、角パイプを素材に用いてカバー体Ｃの横幅と略同じ長さに形成されており、カバー体Ｃの底板に溶接或いはボルト締め等の固着手段を介して固定されている。一方、レール部材２７は、水平受縁２７ａと垂直縁２７ｂとを備え、かつ水平受縁２７ａの前端に、その前端縁を上方に曲成した係止縁２７ｃを備えており、カバー体Ｃの前後方向（目地ｓに沿う方向）の移動幅に対応する長さに形成されている。前記係止縁２７ｃは、スライダー２６の前縁に当接して該スライダー２６の脱落を防止し、かつ該スライダー２６を前後方向に案内するガイド手段となっている。また、水平受縁２７ａ上には、上面にテフロンコーティング等の滑性面を形成した薄板状のパッキン２８が被着されており、該パッキン２８の滑性面によって、スライダー２６の摺動が容易となるようにしている。
【００３１】
前記レール部材２７は、図１０等に示すように、断面Ｌ形のフランジ２９と溶接等の固着手段を介して一体化され、該フランジ２９を建造物Ａの側縁に植設されたアンカーボルト３０にナット３１で固定することにより、建造物Ａの床ｆ１　の側縁に取り付けられる。ここで、該レール部材２７は、スライダー２６を支持した状態において、カバー体Ｃの上面８が建造物Ａの床ｆ１　の上面と略面一となる高さ位置に取り付けられる。
【００３２】
かかる構成にあって、地震時に、建造物Ａと、隣接する建造物Ｂとが近接する方向に大きく相対変位すると、レール部材２７に支持されたスライダー２６が傾動可能であるため、カバー体Ｃは、図１１に示すように、カバー体Ｃの建造物Ａ側の一端を支点として傾動して、自由端の端縁３が、摺動受枠体１の傾斜受縁１ｂに沿ってずれ上がることにより、その相対変位から逃げることができる。この時、上述したように、自由端の端縁３に枢結されている端部カバー板４が、引張バネ７の付勢作用を介して下方傾斜する状態となって建造物Ｂの床ｆ２　の上面に常時密着して摺動するため、該端部カバー板４が中空に突出することがない。
【００３３】
また、建造物Ａと、隣接する建造物Ｂとが前後方向（目地ｓに沿う方向）に相対変位すると、図１２に示すように、カバー体Ｃの自由端が建造物Ｂの立上がり部２５によって位置規制されていることにより、カバー体Ｃの建造物Ａ側の端部が、レール部材２７に支持されたスライダー２６の摺動作用を介して前後方向に摺動し、その相対変位に追従することができる。
【００３４】
尚、本発明にかかる床用目地カバー装置は、免震装置によって下部が支持された免震構造の建造物以外の一般的な建造物にも適用することが可能である。
【００３５】
【発明の効果】
本発明は、上述したように、カバー体の自由端の端縁上部にカバー体の上面と略面一となるようにして端部カバー板を回動可能に枢結するとともに、該端部カバー板を下方回動方向へ付勢する付勢手段を設けたから、地震時に、隣接する建造物の床相互が近接する方向に大きく相対変位して、カバー体の自由端が摺動受枠体の傾斜受縁に沿ってずれ上がった場合に、自由端の端縁上部に枢結されている端部カバー板が付勢手段によって下方回動方向に付勢されていることにより、該端部カバー板の外端が床面に常時密着して摺動するため、従来のように端部カバー板が中空に突出する状態となることによる通行障害を防止することができる。また、端部カバー板が下方回動方向に付勢されているので地震の衝撃によってバタつくことがなく、さらに、端部カバー板は自由端の端縁上部から下方傾斜する状態となるため、自由端の端縁と端部カバー板との間に隙間が生じることもない。
【００３６】
また、端部カバー板を下方回動方向へ付勢する付勢手段を、一端を端部カバー板の下面に連結し、他端を自由端の端縁下部に連結した引張ばねとすることによりにより、構造が簡単で製造が容易であり、比較的安価であるにも拘わらず、耐久性に優れ、所要の付勢作用を生ずる付勢手段を得ることができる。
【００３７】
さらに、カバー体の一端を目地幅方向に移動不能に保持する保持手段を、カバー体の一端の下部に配設されたスライダーと、一方の床の側縁に配設されて前記スライダーを目地に沿う方向に摺動可能に支持するレール部材とによって構成すれば、地震時に、隣接する建造物の床相互が前後方向（目地に沿う方向）に相対変位した場合に、レール部材に支持されたスライダーの摺動作用を介して、カバー体の一端が一方の床の側縁に沿って前後方向に摺動して、その相対変位に追従する。これにより、床用目地カバー装置を、カバー体の自由端の前後両側に壁等の立上がり部が形成されている場所に適用することが可能となる。
【図面の簡単な説明】
【図１】第一実施例にかかる床用目地カバー装置の施工状態を示す縦断側面図である。
【図２】端部カバー板４部分の拡大図である。
【図３】連結手段５部分の拡大図である。
【図４】連結手段５を構成する保持受枠体１４の斜視図である。
【図５】建造物Ａと建造物Ｂとが近接する方向に相対変位した状態におけるカバー体Ｃ及び端部カバー板４の作用を示す説明図である。
【図６】建造物Ａと建造物Ｂとが離れる方向に相対変位した状態におけるカバー体Ｃの作用を示す説明図である。
【図７】第一実施例にかかる床用目地カバー装置の施工状態を示す斜視図である。
【図８】第二実施例にかかる床用目地カバー装置の施工状態を示す縦断側面図である。
【図９】保持手段を構成するスライダー２６とレール部材２７の斜視図である。
【図１０】保持手段部分の拡大図である。
【図１１】建造物Ａと建造物Ｂとが近接する方向に相対変位した状態の作用説明図である。
【図１２】第二実施例にかかる床用目地カバー装置の施工状態を示す斜視図である。
【図１３】イは従来構成の概略側断面図、ロはその作用説明図である。
【図１４】カバー板Ｃの自由端の側傍に立ち上がり部ｋがある状態を例的に示した従来構成の概略平面図である。
【符号の説明】
Ａ　建造物
Ｂ　建造物
Ｃ　カバー体
ｆ１，ｆ２　床
ｓ　目地
１　摺動受枠体
１ａ　水平受縁
１ｂ　傾斜受縁
２ａ　作動空隙
３　端縁
４　端部カバー板
５　連結手段（保持手段）
７　引張ばね（付勢手段）
２６　スライダー（保持手段）
２７　レール部材（保持手段）
【図１】
2004027638.tif 000003
【図２】
2004027638.tif 000004
【図３】
2004027638.tif 000005
【図４】
2004027638.tif 000006
【図５】
2004027638.tif 000007
【図６】
2004027638.tif 000008
【図７】
2004027638.tif 000009
【図８】
2004027638.tif 000010
【図９】
2004027638.tif 000011
【図１０】
2004027638.tif 000012
【図１１】
2004027638.tif 000013
【図１２】
2004027638.tif 000014
【図１３】
2004027638.tif 000015
【図１４】
2004027638.tif 000016